Podtech/llm-jp-corpus-v4-ja_patent huggingface dataset:
(57)【要約】【目的】例えば鍛造用加熱ヒータに於いて、後工程に送付できない加熱金属材料を急速に冷却して、短時間で加熱ヒータに再投入する事を可能とする為の、高温金属の急速冷却方法【構成】冷却媒体を供給する為の冷却筒又は冷却管に冷却媒体を均等に高温金属表面に散布できるよう複数のノズルを設け、且つ、冷却媒体の量が適正値になるよう考慮された冷却装置である。【選択図】図１
2005126809.tif 000002
【特許請求の範囲】
【請求項１】
高温金属を冷却する場合において、液状の冷却媒体、例えは水を高温金属表面に均等に噴霧し、その冷却媒体の気化の潜熱によって高温金属を冷却せしめる方法。
【請求項２】
高温金属を冷却する為、液状の冷却媒体、例えば水を噴霧して、その冷却媒体の気化の潜熱によって高温金属を冷却する場合において、高温金属内部の温度勾配が所定置を超えぬよう、冷却媒体の噴霧量を設定する事を特徴とした高温金属の冷却法。
【発明の詳細な説明】
【発明の詳細な説明】
【産業上の利用分野】
【０００１】  本発明は、例えば熱間鍛造に使用される高温金属が、プレスの故障等によって後工程に使用されぬ時、急速に冷却して再度ヒータに再投入できるよう準備しておく必要が有り、そのような場合に使用されるものである。
【背景技術】
【０００２】  例えば熱間鍛造に使用される高温金属が後工程で使用されぬ時は、自然冷却によって常温に戻るまで放置するのが通例であった。【０００３】  しかしこのように自然放置による冷却では、高温金属の熱放射による冷却効果が大半で、温度が下がると熱放射損は４乗に比例して下がる為、冷却効果が極端に下がり、常温に戻るのに時間がかかり、ヒータへの再投入が間に合わなくなる等の問題が有り、又、長時間高温にさらされる為、スケールの発生が多くなる等の問題も有った。【０００４】  一方高温金属を水冷等により急速に冷却しようとすれば、高温金属内の温度勾配が極端に大きくなり、熱膨張の差によってヒビや割れが発生する恐れがあり、通常はいきなりの水冷は行わない。水冷を行う時は金属温度が低温（例えば５００℃以下）になってから水冷する方法が取られるが、これでも常温に達するまでに数十分を要していた。
【本発明が解決しようとする課題】
【０００５】本発明は、上記の問題点を解決し、高温金属の冷却に要する時間を数分程度に短縮し、短時間に再使用を可能にすると共に、スケールの発生も少なく抑えようとするものである。
【課題を解決する為の手段】
【０００６】  本発明は、上記問題点を解決する為に為されたもので、冷却の手段として熱放射に加えて、液状冷却媒体の気化の潜熱を利用して冷却効果を高めると共に、冷却媒体の供給量を制限して高温金属内の温度勾配が一定値を超えないよう考慮されている。
【０００７】  今、高温金属の単位表面積（ｃｍ２）単位時間（ｓｅｃ）当たりの放熱量をＰ（Ｗ／ｃｍ２）、高温金属の熱伝導率、比重、比熱を夫々λ（ｃａｌ／ｓｅｃ  ℃  ｃｍ），γ（ｇ／ｃｍ３），ｃ（ｃａｌ／ｇ℃）とすると高温金属内の最大温度勾配ｄθ／ｄｘ（℃／ｃｍ）は１式で表わされ
ｄθ／ｄｘ＝Ｐ／（４．１９λ）                                          …１
又高温金属が円柱の場合その半径をａ、高温金属が平板の時その厚みをｂとすると、高温金属の平均温度降下率（℃／ｓｅｃ）は夫々２，３式で求められる。
ｄθ／ｄｔ＝２Ｐ／（４．１９γｃａ）                                      …２
ｄθ／ｄｔ＝４Ｐ／（４．１９γｃｂ）                                      …３
上式を基にＰをヒビ、割れが発生しないよう許容値内であり、且つｄθ／ｄｔが最大になるよう選ぶ事によって、安全にして最短時間での冷却がかのうとなる。
【０００８】  通常の自然冷却では、熱放射損失は絶対温度の４乗に比例する為、例えばθ＝１２５０℃に於いてはＰ＝２５Ｗであってもθ＝５００℃ではＰ＜２Ｗとなり、低温になるほど冷却効果が下がり、常温になるまでに数十分から一時間をようする。
これに風冷効果を加えても、Ｐは平均２Ｗ程度増加するに過ぎない。
一方水冷にするとＰは高温時には８００Ｗ／ｃｍ２ともなり、温度勾配が過大となってヒビ、割れが起こる恐れが有る。
【０００９】  これを解決する為、本発明では液状冷却媒体の気化の潜熱による冷却を用いている。冷却媒体として水を用いると、その気化の潜熱は約２０００Ｗｓｅｃ／ｃｃである。今、高温金属内の許容最高温度勾配に対応するＰをＰｍとすると、高温金属の単位面積、単位時間に気化させ得る水の量ｑは４式で表わされる。
ｑ＝Ｐｍ／２０００                                                        …４
高温金属が鉄の場合にはλ＝０．０７，γ＝７．８５，ｃ＝０．１６となり、（ｄθ／ｄｘ）ｍａｘ＝３００とすると１式よりＰｍ＝８８Ｗとなり、ｑ＝０．０４４ｃｃ／ｓｅｃとなる。
高温金属の表面に均等に冷却水を供給する為、冷却水は霧状に散布するのが良いが上記のように水量が少ない為、霧状散布は容易である。但し、冷却水が全量気化するわけではなく、又蒸気膜による冷却阻害を考慮すると供給水量は上記値より多く供給する必要が有る事は言うまでも無い。
今、高温金属が半径３ｃｍの円柱の場合を考えると、その冷却速度ｄθ／ｄｔは２式より１１℃／ｓｅｃとなり、例えば１３００℃から２００℃まで冷却するのに要する時間は１００ｓｅｃとなり、十分高速な冷却が可能となる。
【実施例】
【００１０】以下、本発明の実施例を図を参照しながら説明する。【００１１】  図１、図２に本発明の請求項１、請求項２の実施例を示す。但し図１は本装置の正面図、図２は本装置の側面断面図である。
図１、図２に於いて、１は冷却すべき高温金属、２は冷却水筒（又は冷却水管）、３は冷却媒体の散布ノズルであり高温金属表面に均等に散布できるよう均等に設けられている。４は散布された冷却媒体である。このような装置を用いて、散布ノズルの径又は水圧を調整する事によって、前記１，４式を満足するよう散布される冷却媒体の量を調整し、ヒビ、割れの発生がなく、且つ急速冷却が可能となる。
【発明の効果】
【００１２】本発明の効果は下記の通りである。
【００１３】高温金属にヒビ、割れ等が生じないよう、高温金属内での最高温度勾配を抑える事が出来る。
【００１４】気化の潜熱を利用する事により、急速冷却を可能にし、例えば後工程の運転再開時、急速に金属材料をラインに再投入する事が出来る。
【図面の簡単な説明】
【図１】  本発明の冷却装置の正面図である。
【図２】  本発明の冷却装置の側面断面図である。
【符号の説明】
【００１５】１  高温金属
２  冷却媒体用水筒
３  冷却媒体散布用ノズル
４  散布された冷却媒体
【図１】
2005126809.tif 000003
【図２】
2005126809.tif 000004
(57)【要約】【課題】衣服への負担も少なく、目立たないので違和感もなく身体にフィットし、お洒落と実用的な効果も期待できるメガネホルダーの提供【解決手段】チェーン等で吊り下げている眼鏡をぶらつかないように、メガネチェーンと衣服を着脱自由に固定する金属製のフック形状のメガネホルダーであって、衣服に差し込んで固定するための略Ｕ字型のピン８とそのピンの一端を固定するとともにピンの他端を係止する係止部５とを供え、前記ピンの固定側にフック部６を設けそのフック部６に前記メガネチェーン１の端部に設けられたフック掛け具４を係止する。【選択図】図２
2005122082.tif 000002
【特許請求の範囲】
【請求項１】
チェーン等で吊り下げている眼鏡をぶらつかないように、メガネチェーンと衣服を着脱自由に固定する金属製のフック形状のメガネホルダーであって、衣服に差し込んで固定するための略Ｕ字型のピン８とそのピンの一端を固定するとともにピンの他端を係止する係止部５とを供え、前記ピンの固定側にフック部６を設けそのフック部６に前記メガネチェーン１の端部に設けられたフック掛け具４を係止することを特徴とするメガネホルダー。
【請求項２】
請求項１において衣服に食い込まないようループ形状７を有することを特徴とするメガネホルダー。
【請求項３】
請求項１においてフック部６を丸みをもたせた形状にし且つメガネチェーン１のフック掛け具４を挿入する入り口９を狭くしてトックリ型に形成したことを特徴とするメガネホルダー。
【発明の詳細な説明】
【技術分野】
【０００１】本発明はメガネチェーンと衣服を固定するための金属製メガネホルダーに関するものである。
【背景の技術】
【０００２】従来のイメージ装置のものとしては、眼鏡の紐と鎖を固定するためのリングメガネフレーム用装飾体、耳飾付きメガネ止め、メガネを掛けてクリップする身装品はあったがメガネチェーンを衣服に固定するものは無かった。
【０００３】この改善は胸元に吊り下げたメガネチェーンをメガネホルダーによって固定し、携帯でき且つ迅速に着脱出来る。しかしながら仕事中眼鏡にチェーンを付け首から提げているが眼鏡を使用しない時はブラブラと動き作業の邪魔になる。
【特許文献１】特表平  ０９−５０７５８７
【特許文献２】特開平１０−１７７１５３
【特許文献３】特開平１０−３１３９１８
【特許文献４】実開昭５７−１４６１１８
【発明の開示】
【発明が解決しようとする課題】
【０００４】本発明の目的は金属製の安全ピンを曲げフック形状部を形成することにより発生した溝ができ、その部分にメガネチェーン挿入して固定し、眼鏡を使用しない時のブラツキ及び動き作業の邪魔にならないようにしたメガネホルダーを提供することにある。
【課題を解決する為の手段】
【０００５】請求項１に関わる発明は、チェーン等で吊り下げている眼鏡をぶらつかないように、メガネチェーンと衣服を着脱自由に固定する金属製のフック形状のメガネホルダーであって、衣服に差し込んで固定するための略Ｕ字型のピン８とそのピンの一端を固定するとともにピンの他端を係止する係止部５とを供え、前記ピンの固定側にフック部６を設けそのフック部６に前記メガネチェーン１の端部に設けられたフック掛け具４を係止することを特徴とするメガネホルダー。
請求項２にかかわる発明は請求項１において衣服に食い込まないようループ形状７を有することを特徴とする。
請求項３にかかわる発明は請求項１においてフック部６に丸みをもたせた形状にし、メガネチェーン１のフック掛け具４を挿入する入り口を狭くしてトックリ型に形成した事を特徴とする。
【発明の効果】
【０００６】本発明によれば衣服に付けたメガネホルダーのフック部分でメガネチェーンを固定出来るので作業に邪魔にならず、又不用意に眼鏡を傷付けることが無い。着脱可能なので既存のメガネチェーにも使用出来る。できるだけ小さなピンで作ることにより、衣服等への負担も少なく目立たないで違和感もない。
【発明を実施する為の最良の形態】
【０００７】以下に本発明の実施例を説明する。
【実施例１】
【０００８】図１は本発明の実施例であるメガネホルダーとチェーンとの接続図、図２はメガネホルダーの斜視図、図３はチェーンで吊り下げた眼鏡をメガネホルダーで固定した斜視図である。
メガネホルダーはチェーン等で吊り下げている眼鏡をぶらつかないように、メガネチェーン１と衣服を着脱自由に固定する金属製のフック形状とし衣服に差し込んで固定するための略Ｕ字型のピン８とそのピンの一端を固定するとともにピンの他端を係止する係止部５とを供え、ピンの固定側にフック部６を設けそのフック部６にメガネチェーン１の端部に設けられたフック掛け具４を係止するように構成されているメガネホルダーは衣服に食い込まないようループ形状７を有する。又メガネホルダーを迅速且つ滑らかに着脱できるようにフックに丸みをもたせた形状にし、安易に外れないようにメガネチェーン１のフック掛け具４を挿入する入り口を狭くしてトックリ型に形成されている。
本実施例の使い方を説明する。
メガネチェーン１に接続しているゴム状のリングのフック掛け具４にメガネホルダーのフック部を挿入し、そのフック部６から掛け具４が外れ難く身体にピッタリ固定出来る。
【図面の簡単な説明】
【０００９】
【図１】  メガネホルダーとチェーンの接続形態を示した斜視図である。
【図２】  メガネホルダーを示した斜視図である。
【図３】  チェーンで吊り下げた眼鏡をメガネホルダーで固定した斜視図である。
【符号の説明】
【００１０】１  チェーン
２  止め具
３  締付け具
４  フック掛け具
５  係止部
６  フック
７  ループ
８  針状の先端部
９  入り口
【図１】
2005122082.tif 000003
【図２】
2005122082.tif 000004
【図３】
2005122082.tif 000005
(57)【要約】【課題】  カラオケ利用者が歌とともに歌手・演者の振り付け、所作をも簡単に真似ることができるようにしたカラオケ。【解決手段】  歌手・演者を撮影した映像を左右反転させたデータを作成し、演奏データ、歌詞データとともに合成したカラオケとする。【選択図】  図１
2005122083.tif 000002
【特許請求の範囲】
【請求項１】
演奏の進行、歌詞の表示に合わせて、左右反転させた歌手・演者の演ずる映像を背景映像とするカラオケ。
【発明の詳細な説明】
【技術分野】
【０００１】この発明は、歌だけでなく、振り付けも簡単に真似ることができるように、歌手・演者を撮影した映像を左右反転させ、演奏の進行、歌詞の表示と合成することによって、カラオケ利用者が歌だけでなくその振り付け、所作をも簡単に真似ることができるカラオケに関する。
【背景技術】
【０００２】今までのカラオケは、演奏の進行に合わせて歌詞を表示させるものであった。そのためカラオケ利用者は歌を歌えても、実際の歌手が演じる振り付けまで真似ることは難しかった。さらにカラオケの背景映像として、そのまま歌手・演者を映しだしても、歌詞を読んで歌いながらその振り付けを頭の中で左右変換して表現しなければならず、歌手・演者の振り付けまで真似るのは難しかった。
【発明の開示】
【発明が解決しようとする課題】
【０００３】カラオケ利用者が、実際の歌手・演者の振り付けを簡単に効率よく真似て、正確に表現しようとするものである。
【課題を解決するための手段】
【０００４】上記の課題を解決するため、演奏の進行、歌詞の表示に合わせて、左右反転させた歌手・演者の演ずる映像を背景映像としてカラオケモニタに映し出す。
【発明の効果】
【０００５】演奏の進行、歌詞の表示に合わせて、左右反転させた歌手・演者の演ずる映像を背景映像とするカラオケビデオにより、カラオケ利用者は歌を歌いながら映像に映し出された歌手・演者を見たままの方向で手、足、頭などを動かし、何も考えずに映像の演者と同じ所作をし、演ずることが容易くなった。そして歌を歌いながら、実際の振り付けで踊ることによって、その楽しさも広がってゆくと考えられます。
【発明を実施するための最良の形態】
【０００６】本発明の実施形態について図１の全体構成図に基づいて説明する。図１は歌手・演者からカラオケ利用者までの流れを示したものである。
【実施例１】
【０００７】符号１の歌手・演者を符号２ビデオカメラで撮影します。その映像を符号３にて左右反転させた映像データを、符号４演奏データ、符号５歌詞データとともに符号６で合成させます。【０００８】符号９はカラオケ利用者が、符号６で合成されたカラオケデータを映し出した符号８のモニタを見ながら、画面の歌手・演者の振り付け、所作を見たとおりの方向で真似ているところ。【０００９】  この反転カラオケデータは、通信カラオケ、インターネット、携帯電話などで配信する。ビデオテープやディスク保存して再生する。
【実施例２】
【００１０】  符号１の歌手・演者を符号２ビデオカメラで撮影の際、鏡で反射させて撮影する。ビデオカメラに反転機能がある場合などで左右反転処理を行なうなどの場合、そのデータを直接符号６で合成させる。
【実施例３】
【００１１】符号２ビデオカメラを用いず、ＣＧ、アニメーションなどで振り付けの反転映像を作成して符号３の反転映像とする。
【産業上の利用可能性】
【００１２】この発明は、カラオケ利用者に新たなる楽しみを与えることにより、カラオケ業界に新たなる需要を創出し、カラオケボックスなどの利用数を増やすことが考えられます。また、歌手・演者の踊り、振り付けをマスターすることにも役立つため、自宅でのカラオケ設備購入促進につながることが考えられます。
さらに、ギター、チェロなどの演奏者を反転映像とし、歌詞の代わりに楽譜や説明文にしたレッスン教材。手話実演者を反転映像とし、文字と手話を連動させた、手話のレッスンの教材として利用できます。また、ゴルフスイング、体操などを反転映像にした教材としてスポーツ分野にも利用することが可能です。
【図面の簡単な説明】
【００１３】
【図１】この発明の全体構成図である。
【符号の説明】
【００１４】１・・・歌手・演者（前から見たところ）
２・・・ビデオカメラ
３・・・映像反転装置
４・・・演奏データ
５・・・歌詞データ
６・・・合成装置
７・・・カラオケ装置
８・・・モニタ（反転せれた映像）
９・・・カラオケ利用者（後ろから見たところ）
【図１】
2005122083.tif 000003
(57)【要約】【課題】  口金部に発光ダイオードを具備した蛍光ランプを提供する。【解決手段】  上記問題を解決する為,蛍光ランプの口金内部に具備された発光ダイオード点灯回路にも電力を供給し,点灯回路に具備された蓄電池あるいは電力を蓄えておくことのできる電子部品に電力を蓄えておくことで,蛍光ランプ消灯後も発光ダイオードが点灯できるようにしたもの。【選択図】  図３
2005122907.tif 000002
【特許請求の範囲】
【請求項１】
透光性気密容器とこの気密容器の管端部に設けられた一対の電極と上記気密容器内に封入された水銀および希ガスを含む放電媒体と透光性気密容器の両端部に口金を有している蛍光ランプまたは,両端部を覆う形状の口金を有している環形蛍光ランプにおいて,上記気密容器の口金部分に発光ダイオードを具備していることを特徴とする直管形および環形蛍光ランプ。
【請求項２】
上記の蛍光ランプは, 口金の内部に発光ダイオードを点灯させる電気回路を具備していることを特徴とする請求項１に記載の蛍光ランプ。
【請求項３】
上記の蛍光ランプは,蛍光ランプ点灯時あるいは,蛍光ランプ点灯から消灯後,数秒から十数秒間あるいは,蛍光ランプ消灯後数秒から十数秒間,発光ダイオードが点灯していることを特徴とする請求項１,２に記載の蛍光ランプ。
【請求項４】
上記の蛍光ランプは,口金部分に発光ダイオードを1個から十数個具備していることを特徴とする請求項１,２,３に記載の蛍光ランプ。
【請求項５】
上記の蛍光ランプは,ガラス管の封止された管端を貫通してそれぞれに対応するコイルに接続された一対の導入線より電力を得て,上記電気回路により発光ダイオードを点灯するのに必要な電力を得ることを特徴とする請求項１,２,３,４に記載の蛍光ランプ。
【請求項６】
上記蛍光ランプは,電気回路部分に蓄電池あるいは電力を蓄えておくことのできる電子部品を具備することで,その電力でランプ消灯後,発光ダイオードを点灯させることを特徴とする請求項１,２,３,４,５に記載の蛍光ランプ。
【発明の詳細な説明】
【技術分野】
【０００１】
本発明は,口金を有する直管形および環形蛍光ランプに関する。
【背景技術】
【０００２】
蛍光ランプ消灯後に,そのランプ部分より明りを得るものとして,残光形の蛍光体をハロリン酸塩蛍光体,希土類蛍光体などの通常の蛍光体に混合した物や,これらの蛍光体を二重に塗布した,残光形の蛍光ランプがある。
【０００３】
【特許文献１】特開平１１-１１１２２７号公報
【発明の開示】
【発明が解決しようとする課題】
【０００４】
しかし,従来の残光形の蛍光ランプでは,蛍光体の一部に残光形の蛍光体を用いる為,ランプ点灯時に発光する蛍光体の発光強度が低下する為,光束が低下する上に,残光形の蛍光体の発光だけでは輝度が低い為,認視性が低くランプ下方の物の識別も困難であった。
【０００５】
本発明は,口金とガラス管の間の空隙部分に発光ダイオードを点灯させる為の電気回路を具備し,口金部分に設置した発光ダイオードを発光させることで,蛍光ランプ消灯後にランプ下方の物の識別及び適度な輝度を有している為,火災や地震等の非常時の非照明状態には遠方からでも認視性があり,家庭内はもとより大型店舗等の避難誘導路上にランプを配置していることで,避難誘導灯の補助灯として利用できる蛍光ランプの提供を目的としたものである。
【課題を解決するための手段】
【０００６】
上記目的を達成する為に,現在の環形蛍光ランプの口金内部あるいは,直管形蛍光ランプのガラス管端をモールドした部分を覆う口金内部に発光ダイオードを点灯させることのできる電気回路を具備し口金部分に発光ダイオードの発光部分が外部に露出するようにしたものである。
【発明の効果】
【０００７】
本発明によれば,蛍光ランプを点灯させる為の照明器具を変更させることなく,ほとんどのランプに具備でき通常の蛍光ランプとして使用できると共に,停電時などの非常時に発光ダイオード点灯により,非常灯あるいは誘導灯などの避難照明として利用できる蛍光ランプを提供する。
【発明を実施するための最良の形態】
【０００８】
本発明に係る３０W形の環形蛍光ランプ及び４０W形の直管形蛍光ランプの実施例を図1,図2,図3に挙げて,添付図面を参照しながら以下詳細に説明する。
【実施例１】
【０００９】
図1を参照すると,本発明の一実施の形態による環形蛍光ランプ１が示されている。蛍光ランプ１は,ガラス管２とガラス管２内の両端に設けられた電極３，４は,管２の内部に設けられたタングステン等のコイル５と管２の封止された各端を貫通してそれぞれの対応するコイル５に接続された1対の導入線６，７から成る。管２の内壁には蛍光体８が塗布されており,更に内部に水銀とアルゴン,ネオンなどの希ガスが封入されている。
【００１０】
本発明は,このような構造を有する環形蛍光ランプの両端あるいは一方の導入線６，７の両方あるいは片方より,蛍光ランプに電力を供給すると共に口金内部に具備された発光ダイオード点灯回路８にも電力を供給することの出来るように配線されて蛍光灯を点灯することで,この点灯回路８にも電力が供給され,口金９に具備された発光ダイオード１０を点灯させることができる。
【実施例２】
【００１１】
図２を参照すると,本発明の一実施の形態による直管形蛍光ランプ１１が示されている。直管形においては,両端に具備された口金１２,１３（図２には口金１２のみを示している。）この口金の内部に発光ダイオード点灯回路８が具備されていて,実施例１と同様にランプ点灯時に導入線６,７より電力を供給し,口金に設けられた発光ダイオード１０を点灯できる。
【実施例３】
【００１２】
図３を参照すると,本発明の一実施の形態による環形蛍光ランプ１が示されている。導入線６，７より蛍光ランプに電力を供給すると共に口金内部に具備された発光ダイオード点灯回路８にも電力を供給し, 口金内部に具備された蓄電池あるいは電力を蓄えておくことのできる電子部品１４に電力を蓄えておくことで,蛍光ランプ消灯後も発光ダイオードが点灯できるようにしたものである。
【図面の簡単な説明】
【００１３】
【図１】本発明の実施例１の拡大概略図である。
【図２】本発明の実施例２の拡大概略図である。
【図３】本発明の実施例３の拡大概略図である。
【符号の説明】
【００１４】
１環形蛍光ランプ
２ガラス管
３，４電極
５コイル
６，７導入線
８点灯回路
９口金
１０発光ダイオード
１１直管形蛍光ランプ
１２直管用口金
１４蓄電池。
【図１】
2005122907.tif 000003
【図２】
2005122907.tif 000004
【図３】
2005122907.tif 000005
(57)【要約】【課題】  本発明が解決しようとする課題は、夜間時等の周囲が暗い時にでも容易にプルスイッチを探す事が可能な照明器具を提供する事である。【解決手段】  上記課題を解決するために、ランプ消灯時にプルスイッチの一部もしくは全体が光る事で、夜間時等の周囲が暗い時でも容易にプルスイッチを探す事が可能で、暗い中プルスイッチを手探りで探す等の手間を必要とせず、即座に且つ安全にランプを点灯させる事が可能となる。【選択図】  図１
2005122905.tif 000002
【特許請求の範囲】
【請求項１】
ランプの点灯/消灯を制御するプルスイッチを具備した天井もしくは壁面に設置する照明器具において、前記プルスイッチにＬＥＤを有しており、前記ランプ消灯時に前記ＬＥＤが点灯する事を特徴とする照明器具。
【請求項２】
前記プルスイッチ内部に電池を具備し、前記電池の電力により前記ＬＥＤを点灯する事を特徴とする請求項１記載の照明器具。
【請求項３】
ランプの点灯/消灯を制御するプルスイッチを具備した天井もしくは壁面に設置する照明器具において、照明器具本体にＬＥＤを具備し、前記ランプ消灯時に前記ＬＥＤが前記プルスイッチの一部もしくは全体を照らす事を特徴とする照明器具。
【請求項４】
前記ＬＥＤは前記ランプ点灯時には消灯し、前記ランプ消灯時に点灯する事を特徴とする請求項1〜３記載の照明器具。
【請求項５】
前記ＬＥＤの制御装置を具備し、前記制御装置の内部にはタイマー手段が内蔵されており、前記タイマー手段の制御により、前記ＬＥＤの点灯及び消灯を制御する事を特徴とする請求項１〜４記載の照明器具。
【発明の詳細な説明】
【技術分野】
【０００１】
本発明は照明器具に関するものである。
【背景技術】
【０００２】
従来の照明器具は、夜間時等の周囲が暗い時、蛍光ランプを点灯させるため暗い中プルスイッチを手探りで探す必要があった。
【発明の開示】
【発明が解決しようとする課題】
【０００３】
本発明が解決しようとする課題は、夜間時等の周囲が暗い時にでも容易にプルスイッチを探す事が可能な照明器具を提供する事である。
【課題を解決するための手段】
【０００４】
上記課題を解決するために、ランプ消灯時にプルスイッチの一部もしくは全体が光る事で、夜間時等の周囲が暗い時でも容易にプルスイッチを探す事が可能で、暗い中プルスイッチを手探りで探す等の手間を必要とせず、即座に且つ安全にランプを点灯させる事が可能となる。
【発明の効果】
【０００５】
夜間等の周囲が暗い時に、プルスイッチの位置を容易に探し当てる事を可能とする。
【実施例１】
【０００６】
本発明の一実施例を図を用いて説明する。図１は本発明における照明器具であり、蛍光ランプ１、照明器具本体２、カバー３、プルスイッチ４から構成されている。照明器具本体２内部には蛍光ランプ点灯回路５及びＬＥＤ制御回路６が内蔵されている。プルスイッチ４は照明器具本体２から吊り下げられており、プルスイッチ４を引っ張る事で蛍光ランプ１の点灯／消灯を切り替える事ができる。またプルスイッチ４は内部に導電性材質を有し、その導電性材質を絶縁体で覆っている。
【０００７】
蛍光ランプ点灯回路５は蛍光ランプ１の点灯／消灯を制御する。ＬＥＤ制御回路６はプルスイッチ４を介して、プルスイッチ先端部に取り付けられたＬＥＤ７に電力を供給し、蛍光ランプ１点灯時にはＬＥＤ７に電力を供給せず、蛍光ランプ２消灯時にはＬＥＤ７に電力を供給しＬＥＤ７を点灯する働きがある。
【０００８】
またＬＥＤ制御回路６にタイマー機能を内蔵することで、例えば蛍光ランプ１消灯時においても比較的明るい昼間にはＬＥＤ７が消灯し、周囲が暗くなる夜間のみＬＥＤ７が点灯する等の時間設定を行う事も出来る。
【０００９】
なお、本発明はランプの一例として蛍光ランプを挙げているが、その他に電球や電球形蛍光ランプ、ＬＥＤ等の照明器具も該当する。
【００１０】
以上のようにランプ消灯時にＬＥＤを点灯させることで、夜間等の周囲が暗い時でも容易にプルスイッチを探す事が可能で、暗い中プルスイッチを手探りで探す等の手間を必要とせず、即座に且つ安全にランプを点灯させる事を可能とする。また、プルスイッチが薄明るく光る程度にＬＥＤに流す電流を低減する事で低消費電力でかつ安全な照明器具を提供することができる。
【実施例２】
【００１１】
図２は本発明における照明器具であり、蛍光ランプ１、照明器具本体２、カバー３、プルスイッチ４から構成されている。照明器具本体２内部には蛍光ランプ点灯回路５及びＬＥＤ制御回路６が内蔵されている。プルスイッチ４は照明器具本体２から吊り下げられており、プルスイッチ４を引っ張る事で蛍光ランプ１の点灯／消灯を切り替える事ができる。
【００１２】
蛍光ランプ点灯回路５は蛍光ランプ１の点灯／消灯を制御する。ＬＥＤ制御回路６は照明器具内部に内蔵されたＬＥＤ７に電力を供給し、蛍光ランプ１点灯時にはＬＥＤ７に電力を供給せず、蛍光ランプ２消灯時にはＬＥＤ７に電力を供給しＬＥＤ７を点灯する働きがある。ＬＥＤ７はプルスイッチ４を照らしており、保安球の役目と同時にプルスイッチの位置を明確にする役目も果たす。
【００１３】
またプルスイッチ４に例えば蛍光塗料等を塗る事でＬＥＤ７から発する紫外線と反応してプルスイッチ４を光らせる事も出来る。
【００１４】
またＬＥＤ制御回路６にタイマー機能を内蔵することで、例えば蛍光ランプ１消灯時においても比較的明るい昼間にはＬＥＤ７が消灯し、周囲が暗くなる夜間のみＬＥＤ７が点灯する等の時間設定を行う事も出来る。
【００１５】
なお、本発明はランプの一例として蛍光ランプを挙げているが、その他に電球や電球形蛍光ランプ、ＬＥＤ等の照明器具も該当する。
【００１６】
以上のようにランプ消灯時にＬＥＤを点灯させることで、夜間等の周囲が暗い時でも容易にプルスイッチを探す事が可能で、暗い中プルスイッチを手探りで探す等の手間を必要とせず、即座に且つ安全にランプを点灯させる事を可能とする。また、プルスイッチが薄明るく光る程度にＬＥＤに流す電流を低減する事で低消費電力でかつ安全な照明器具を提供することができる。 
【図面の簡単な説明】
【００１７】
【図１】本発明の第１の実施例を説明する構成図。
【図２】本発明の第１の実施例を説明する構成図。
【符号の説明】
【００１８】
１…蛍光ランプ、２…照明器具本体、３…カバー、４…プルスイッチ、５…蛍光ランプ点灯回路、６…ＬＥＤ制御回路、７…ＬＥＤ。
【図１】
2005122905.tif 000003
【図２】
2005122905.tif 000004
(57)【要約】【課題】  安全性を向上させた片口金コンパクト形蛍光ランプを提供する。【解決手段】  図１のように口金と反対側の発光管管端部から口金までの範囲を、熱収縮性チューブを用いて被覆することでガラス片の飛散を防止する。【選択図】  図１
2005122906.tif 000002
【特許請求の範囲】
【請求項１】
発光管を平行配置し、一方の管端部側を接合した構造を有する片口金コンパクト形蛍光ランプにおいて、口金と反対側の発光管管端部から、口金部ピン側の口金端部より発光管側に１４．２ｍｍまでの範囲を、熱収縮性チューブを用いて被覆していることを特徴とするガラス片飛散防止機能を有する蛍光ランプ。
【請求項２】
円筒状で両側の開いた熱収縮チューブを用いていることを特徴とする、請求項１記載のガラス片飛散防止機能を有する蛍光ランプ。
【発明の詳細な説明】
【技術分野】
【０００１】
本発明は蛍光ランプ表面にチューブを備えた、ガラス片飛散防止機能を有する蛍光ランプに関する。
【背景技術】
【０００２】
蛍光ランプは材質の大部分がガラスで出来ているため、高い場所からの落下や衝撃を加えるとガラスが割れ、ガラス片が飛び散る危険性がある。蛍光ランプが割れた場合でもガラス片が飛散しないよう、安全性の面でランプ表面にチューブを被覆している蛍光ランプとして、例えば特開平６−２７５２３６号に示されるようなランプがある。
これまでに直管，丸管形の蛍光ランプでチューブを被覆した蛍光ランプに加え、近年需要が拡大している片口金コンパクト形蛍光ランプでも、チューブを被覆した蛍光ランプが要求されてきた。
【発明の開示】
【発明が解決しようとする課題】
【０００３】
片口金コンパクト形蛍光ランプは、家庭では卓上スタンド，業務用としては店舗照明の天井灯用として主に使用されている。片口金コンパクト形蛍光ランプを天井灯として使用した場合、構造上口金部分でランプを器具に固定しているため、ランプ交換時には他のランプと比較して落下の危険が高い。片口金コンパクト形蛍光ランプが落下等の衝撃で破損した場合は、ガラス片が周囲に飛散し、安全上の問題がある。
本発明が解決しようとする課題は、片口金コンパクト形蛍光ランプに飛散防止機能を持たせたものを提供するものである。
【課題を解決するための手段】
【０００４】
本発明のガラス片飛散防止機能を有する蛍光ランプは、発光管を平行配置した片口金コンパクト形蛍光ランプにおいて、口金と反対側の発光管管端部から口金部までの範囲を熱収縮性チューブを用いて被覆させることにより、ランプが破損した場合でも、ガラス片が周囲に飛散せず、安全性を向上させることができる。
【０００５】
さらに本発明のガラス片飛散防止機能を有する蛍光ランプは、円筒状で両側の開いた熱収縮チューブを用いている。
【発明の効果】
【０００６】
本発明のガラス片飛散防止機能を有する蛍光ランプは、ランプが割れた場合でもランプ表面に被覆した熱収縮性チューブによりガラス片の飛散を防止することが出来る。
【発明を実施するための最良の形態】
【０００７】
図１にガラス片飛散防止機能を有する片口金コンパクト形蛍光ランプの外観図を示す。片口金コンパクト形蛍光ランプ１として例えばＦＰＬ３６の場合、外径５０ｍｍの円筒状で両側の開いた熱収縮性チューブ２、例えばＰＥＴ（ポリエチレンテレフタレート）を材料としたものをＦＰＬ３６に被せる。そしてランプの両端から加熱・収縮させていき、ランプとチューブを密着させる。その後、誤使用防止溝を露出させるため、口金部底面から発光管側に１４．２ｍｍまでの範囲を切り取り、未被覆部分３を形成する。更に口金と反対側のバルブ頭部側はチューブ未被覆部分４を残した状態で、ランプに被覆していない余分なチューブを切り取る。
【０００８】
このように製造したガラス片飛散防止機能を有する蛍光ランプは、割れたときに飛散を防止する効果が期待でき、口金の誤使用防止溝はチューブが未被覆であるため、器具に容易に装着することができる。
【０００９】
又、他の片口金コンパクト形蛍光ランプでも同様の手順でガラス片飛散防止機能を有する蛍光ランプを得ることができるのは自明である。
【図面の簡単な説明】
【００１０】
【図１】本発明のガラス片飛散防止機能を有する蛍光ランプの外観図の一実施例を示す。
【符号の説明】
【００１１】
1・・・・片口金コンパクト形蛍光ランプ、２・・・・熱収縮性チューブ、３，４・・・・・チューブ未被覆部分。
【図１】
2005122906.tif 000003
(57)【要約】      （修正有）【課題】一つの器具で二種類の明かりを得られる照明器具。直接照明と間接照明を組み合わした照明器具。どんな建築物でも、すべてに利用出来る照明器具、特に身近では住宅のリビング、寝室、子供室、その他、全部屋のイメージを簡単に光によって変えられる。【解決手段】チェン長さあるいは下の電気より間接照明のカバーを内部又は外部に寄せるなど意匠的な部分の検討また器具のデザインおよび間接照明照度など考慮している。【選択図】図２
2005122952.tif 000002
【特許請求の範囲】
【請求項１】
１つの照明器具で直接照明と間接照明が行われる照明器具。
【発明の詳細な説明】
【技術分野】
【０００１】
本発明は、現在の住宅について、照明器具の見直しを考え考案した。ＡＶその他コンピュータ並びに団欒の場所、すべて利用価値の高い照明器具と考える
【０００２】
照明器具１灯に、間接照明の付加価値が付けば、一般からは、間接照明の良さが身近に感じ新しい光が広がる。
【０００３】
ＡＶその他コンピューターには光源が映らないし、部屋全体もムード作りも出来る。一般住宅から高級住宅まで、幅広く利用出来ると考える。
【０００４】
どんな建築物にも使用でき又、現在の住宅の居室、寝室、子供室、洋室など天井はクロス張りが多く、特に間接照明が部屋の雰囲気を変えるのに、もっとも得策である。また光源色を変えることにより、天井からの色も変更できる。
【図面の簡単な説明】
【０００５】
【図１】器具の上から見た図
【図２】器具の長辺断面図
【図３】器具の短辺断面図
【符号の説明】
【０００６】
１    光源取り付け板
２    直接照明のカバー
３    間接照明のカバー
４    つり下げようチェンおよび固定金物
５    間接照明用光源
６    直接照明用光源
【図１】
2005122952.tif 000003
【図２】
2005122952.tif 000004
【図３】
2005122952.tif 000005